(57)【要約】      （修正有）【課題】洗浄済流体を効率よく吸引し得て、カーペットの洗浄効率を向上することができる洗浄ヘッドを提供する。【解決手段】カーペット２を洗浄するカーペット洗浄装置に使用され、カーペット２の被洗浄面部２ａに対して加圧流体Ｅを吹き付ける加圧流体噴出部１０と、被洗浄面部２ａを洗浄した洗浄済流体Ｗを吸引する洗浄済流体吸引部２０と、を備えた洗浄ヘッドであって、洗浄済流体吸引部２０は、ヘッド内部において被洗浄面部２ａに沿って斜め上方へ洗浄済流体Ｗを吸引するように構成されている。【選択図】図４
0003227976.tif 000002
【実用新案登録請求の範囲】
【請求項１】
カーペットを洗浄するカーペット洗浄装置に使用され、前記カーペットの被洗浄面部に対して加圧流体を吹き付ける加圧流体噴出部と、前記被洗浄面部を洗浄した洗浄済流体を吸引する洗浄済流体吸引部と、を備えた洗浄ヘッドであって、
前記洗浄済流体吸引部は、ヘッド内部において前記被洗浄面部に沿って斜め上方へ洗浄済流体を吸引するように構成されていることを特徴とする洗浄ヘッド。
【請求項２】
前記加圧流体噴出部は、前記洗浄ヘッドの前記被洗浄面部との間の相対的進行方向に沿って斜め上方から加圧流体を前記被洗浄面部に対して吹き付けるように構成されていると共に、前記洗浄済流体吸引部は、前記洗浄ヘッドの相対的進行方向において前記加圧流体噴出部の前方に隣接し、前記加圧流体の噴出方向に対向して配置されていることを特徴とする請求項１に記載の洗浄ヘッド。
【請求項３】
前記加圧流体噴出部は、前記流体を貯留するタンク部と、前記タンク部に貯留された流体を加圧する加圧供給接続部と、前記加圧供給接続部を介して加圧された加圧流体を前記被洗浄面部へ供給する加圧流体供給路と、前記加圧流体供給路の先端に設けられ、前記被洗浄面部へ加圧流体が噴出される加圧流体噴出孔と、を有するとともに、
前記洗浄済流体吸引部は、負圧供給接続部と、前記洗浄ヘッドの相対的移動方向において前記加圧流体噴出孔の前方に隣接して設けられた洗浄済流体吸引孔と、前記洗浄済流体吸引孔と前記負圧供給接続部との間に設けられた管路部と、を有し、
前記加圧流体噴出孔と前記洗浄済流体吸引孔とは、仕切板部により前記洗浄ヘッドの相対的移動方向において仕切られて配置されていることを特徴とする請求項２に記載の洗浄ヘッド。
【請求項４】
前記加圧流体噴出部は全体略細長箱状に形成されると共に、前記洗浄済流体吸引部は前記加圧流体噴出部の幅方向外側であって高さ方向下端部に連設されており、
前記加圧流体噴出部及び前記洗浄済流体吸引部の下端部には、前記加圧流体噴出部の幅方向に沿って形成され、洗浄時に被洗浄面部に対向して配置されるガイド部が設けられていることを特徴とする請求項３に記載の洗浄ヘッド。
【請求項５】
前記ガイド部は、方形板状であって前記被洗浄面部に沿って配置されるように形成されたガイド板部により構成され、前記加圧流体噴出孔及び前記洗浄済流体吸引孔は前記ガイド板部の裏面側にスリット状に開口し、前記加圧流体噴出部の長さ方向全域に亘って設けられていることを特徴とする請求項４に記載の洗浄ヘッド。
【請求項６】
前記負圧供給接続部は前記加圧流体噴出部の長さ方向中央部に配置されると共に、前記管路部は平面視略三角形状に形成されて、前記負圧供給接続部から前記加圧流体噴出部の長さ方向両端部に至り、両端部に至るに従って平面視において幅細になるように形成された前記管路部を形成する洗浄済流体収集部を有し、
前記負圧供給接続部と前記洗浄済流体収集部とは、前記管路部を形成し、平面視において内方へ収縮する対向して設けられた一対の平面円弧状輪郭の接続部を介して接合されていることを特徴とする請求項３に記載の洗浄ヘッド。
【請求項７】
前記ガイド板部は、前記加圧流体噴出部の下部に設けられ、前記被洗浄面部に当接するる平板状の後側ガイド板部と、前記洗浄済流体吸引部の下部に設けられ、平板状の前側ガイド板部とからなり、前記加圧流体噴出孔は前記前側ガイド板部の前端部に形成されると共に、前記洗浄済流体吸引孔は前記後側ガイド板部の後端部に形成され、仕切板部が前記前側ガイド板部と前記後側ガイド板部との間に配置され、
前記後側ガイド板部及び前記前部ガイド板部が前記被洗浄面部に当接した場合には、前記仕切板部は、被洗浄面部に当接するように配置されていることを特徴とする請求項５に記載の洗浄ヘッド。
【請求項８】
前記負圧供給接続部は略円筒状の管部からなると共に、前記管路部は、洗浄済流体吸引孔から徐々に高さ寸法が増大して前記負圧供給接続部に連設され、前記管路部の底面部は前側ガイド板部に沿って形成されていることを特徴とする請求項５に記載の洗浄ヘッド。
【請求項９】
前記負圧供給接続部は前記ガイド板部に対して上方に２０度の角度で傾斜して設けられていることを特徴とする請求項８に記載の洗浄ヘッド。
【請求項１０】
敷設された複数のタイルカーペットを剥離させて各タイルカーペットを洗浄するカーペットの洗浄装置に使用されることを特徴とする請求項１に記載の洗浄ヘッド。
【考案の詳細な説明】
【技術分野】
【０００１】
本考案は、洗浄ヘッドの改良に関する。
【背景技術】
【０００２】
従来から、床面に敷設されたカーペットの汚れを洗浄するカーペット洗浄装置が知られている。
【０００３】
このようなカーペット洗浄装置としては、床面に敷設されたタイルカーペットを床面から剥離させてタイルカーペットを装置内部に挿入し、その装置内部においてタイルカーペットを搬送させつつ、洗浄水を供給してタイルカーペットの被洗浄面において水平回転する洗浄ブラシによりタイルカーペットの内部の汚れを汚水に変え、当該汚水を真空吸引して汚れを除去するように構成されたカーペット洗浄装置が存在する（特許文献１及び特許文献２）。
【０００４】
しかしながら、このような従来のカーペット洗浄装置にあっては、洗浄ブラシによってはタイルカーペットの内部の汚れを完全には除去することができず、また、タイルカーペットの被洗浄面に対して垂直方向上方へ汚水を真空吸引するように構成されていることから、吸引する汚水に対し略垂直方向下方に重力が作用し、重力に抗して汚水を吸引せざるをえず、汚水の吸引効率が良好ではなく、結果的にタイルカーペットの被洗浄面の汚水を十分に排出することができない、という不具合があった。
【０００５】
一方、従来、家庭用の掃除機と同様の形態に構成され、洗浄水を貯留したタンク部と、タンク部に接続されたホース部と、ホース部の前端部に接続されたヘッド部とを有し、タンク部に貯留した洗浄水を加圧してヘッド部からカーペットの被洗浄面に噴出して汚れを汚水に変え、その汚水をヘッド部に設けられた吸引部からホース部を介して吸引して汚れを除去するように構成されたカーペット洗浄装置も知られている（特許文献３及び特許文献４）。
【０００６】
このようなカーペット洗浄装置は、加圧された洗浄水を被洗浄面に噴出してカーペットの内部の汚れを汚水に変えるように構成されていることから、前記の回転する洗浄ブラシを用いる洗浄装置の場合よりもカーペットの内部の汚れを取り出しやすいと共に、作業者が当該カーペット洗浄装置を移動させつつカーペットの被洗浄面を移動させてカーペットを洗浄することができるため、前記のカーペット洗浄装置とは異なり、タイルカーペットを床面から剥離させる必要はない。
【０００７】
しかしながら、このような従来のカーペット洗浄装置にあっては、上記同様に、被洗浄面に対して垂直方向又は角度の大きな斜め上方へ汚水を吸引するように構成されていることから、上記と同様に汚水に対して重力が作用し、汚水の給水効率が良好ではなく、結果的に、カーペットの洗浄効率がなお良好ではない、という不具合が存していた。
【先行技術文献】
【特許文献】
【０００８】
【特許文献１】特開２０１７−３１７号公報
【特許文献２】特開平９−２８５７６９号公報
【特許文献３】特許第３５１００９９号公報
【特許文献４】特許第６１１５９０２号公報
【考案の概要】
【考案が解決しようとする課題】
【０００９】
そこで、本考案の課題は、カーペットの汚れをより効率的に除去できる洗浄ヘッドを提供することにある。
【課題を解決するための手段】
【００１０】
請求項１記載の考案に係る洗浄ヘッドは、カーペットを洗浄するカーペット洗浄装置に使用され、前記カーペットの被洗浄面部に対して加圧流体を吹き付ける加圧流体噴出部と、前記被洗浄面部を洗浄した洗浄済流体を吸引する洗浄済流体吸引部と、を備えた洗浄ヘッドであって、前記洗浄済流体吸引部は、ヘッド内部において前記被洗浄面部に沿って斜め上方へ洗浄済流体を吸引するように構成されているものである。
【００１１】
したがって、本考案に係る洗浄ヘッドは、被洗浄面部に沿って斜め上方へ洗浄済流体を吸引するため、従来のように垂直方向又は被洗浄面に対して角度が大きな斜め上方へ吸引するようには構成されていないことから、重力の作用を直接に受けることがない。
【００１２】
請求項２記載の考案は、前記加圧流体噴出部は、前記洗浄ヘッドの前記カーペットとの間の相対的進行方向に沿って斜め上方から加圧流体を前記被洗浄面部に対して吹き付けるように構成されていると共に、前記洗浄済流体吸引部は、前記洗浄ヘッドの相対的進行方向において前記加圧流体噴出部の前方に隣接し、前記加圧流体の噴出方向に対向して配置されているものである。
【００１３】
したがって、本考案にあっては、相対的進行方向に対向して斜め上方から加圧流体を前記被洗浄面部に対して吹き付けることにより、カーペット内部の汚れを掻きだして汚水化し、その後、吸引する。
【００１４】
また、汚水化した洗浄済流体は前記洗浄ヘッドの相対的進行方向において前記加圧流体噴出部の前方に隣接し、前記加圧流体の噴出方向に対向して配置されている前記洗浄済流体吸引部により吸引される。
【００１５】
請求項３記載の考案は、前記加圧流体噴出部は、前記流体を貯留するタンク部と、前記タンク部に貯留された流体を加圧する加圧供給接続部と、前記加圧供給接続部を介して加圧された加圧流体を前記被洗浄面部へ供給する加圧流体供給路と、前記加圧流体供給路の先端に設けられ、前記被洗浄面部へ加圧流体が噴出される加圧流体噴出孔と、を有するとともに、前記洗浄済流体吸引部は、負圧供給接続部と、前記洗浄ヘッドの相対的移動方向において前記加圧流体噴出孔の前方に隣接して設けられた洗浄済流体吸引孔と、前記洗浄済流体吸引孔と前記負圧供給接続部との間に設けられた管路部と、を有し、前記加圧流体噴出孔と前記洗浄済流体吸引孔とは、仕切板部により前記洗浄ヘッドの相対的移動方向において仕切られて配置されているものである。
【００１６】
したがって、加圧流体噴出部は、タンク部に洗浄水等の流体が貯留され、加圧供給接続部によりタンク部に貯留された流体が加圧され、加圧流体供給路により加圧供給接続部を介して加圧された加圧流体が被洗浄面部へと供給され、加圧流体供給路の先端に設けられた加圧流体噴出孔から被洗浄面部へ加圧流体が噴出される。
【００１７】
また、洗浄済流体吸引部は、負圧供給接続部により負圧が供給され、洗浄済流体吸引孔が洗浄ヘッドの相対的移動方向において加圧流体噴出孔の前方に隣接して設けられ、管路部が洗浄済流体吸引孔と負圧供給接続部との間に設けられているとともに、仕切板部により加圧流体噴出孔と洗浄済流体吸引孔とが洗浄ヘッドの相対的移動方向において仕切られている。
【００１８】
請求項４記載の考案は、前記加圧流体噴出部は全体略細長箱状に形成されると共に、前記洗浄済流体吸引部は前記加圧流体噴出部の幅方向外側であって高さ方向下端部に連設されており、前記加圧流体噴出部及び前記洗浄済流体吸引部の下端部には、前記加圧流体噴出部の幅方向に沿って形成され、洗浄時に被洗浄面部に対向して配置されるガイド部が設けられているものである。
【００１９】
したがって、従来技術に係る洗浄装置とは異なり、洗浄時に被洗浄面部に当接するガイド部が設けられていることから、洗浄ヘッドの被洗浄面に対する安定した当接状態が確保でき、被洗浄面からの負圧による確実な吸引作用を実現できる。
【００２０】
請求項５記載の考案は、前記ガイド部は、方形板状であって前記被洗浄面部に沿って配置されるように形成されたガイド板部により構成され、前記加圧流体噴出孔及び前記洗浄済流体吸引孔は前記ガイド板部の裏面側にスリット状に開口し、前記加圧流体噴出部の長さ方向全域に亘って設けられているものである。
【００２１】
したがって、加圧流体噴出孔及び洗浄済流体吸引孔がガイド板部の幅方向全域に亘ってスリット状に形成されていることから、幅方向全域に亘って安定した洗浄水の噴出作用の確保及び吸引作用を確保できる。
【００２２】
請求項６記載の考案は、前記負圧供給接続部は前記加圧流体噴出部の長さ方向中央部に配置されると共に、前記管路部は平面視略三角形状に形成されて、前記負圧供給接続部から前記加圧流体噴出部の長さ方向両端部に至り、両端部に至るに従って平面視において幅細になるように形成された前記管路部を形成する洗浄済流体収集部を有し、前記負圧供給接続部と洗浄済流体収集部とは、前記管路部を形成し、平面視において内方へ収縮する対向して設けられた一対の平面円弧状輪郭の接続部を介して接合されているものである。
【００２３】
したがって、管路部は平面視略三角形状に形成されて、負圧供給接続部から加圧流体噴出部の長さ方向両端部に至り、両端部に至るに従って平面視において幅細になるように形成された洗浄済流体収集部を有することから、洗浄済流体収集部において洗浄済流体を収集できる。
【００２４】
請求項７記載の考案は、前記ガイド板部は、前記加圧流体噴出部の下部に設けられ、前記被洗浄面部に当接する後側ガイド板部と、前記洗浄済流体吸引部の下部に設けられる前側ガイド板部とからなり、前記加圧流体噴出孔は前記後側ガイド板部の前端部に形成されると共に、前記洗浄済流体吸引孔は前記前側ガイド板部の後端部に形成され、仕切板部が前記前側ガイド板部と前記後側ガイド板部との間に配置され、前記後側ガイド板部及び前記前部ガイド板部が前記被洗浄面部に当接した場合には、前記仕切板部は、被洗浄面部に当接するように配置されているものである。
【００２５】
したがって、前記後側ガイド板部及び前部ガイド板部が被洗浄面部に当接した場合には
前記仕切板部も被洗浄面部に当接する。その結果、前記加圧流体噴出孔から噴出された被洗浄面部内部を介して前記洗浄済流体吸引孔へ至る加圧流体の流通経路が形成される。
また、この加圧流体噴出孔から噴出された加圧流体の噴出経路において仕切板部は邪魔板として機能し、加圧流体噴出孔から噴出された加圧流体が隣接する洗浄済流体吸引孔に即時に吸引される事態が防止されることから、加圧流体は仕切板部下端部に沿うようにしてカーペットの深部まで入り込むことが可能となる。
【００２６】
請求項８記載の考案は、前記負圧供給接続部は略円筒状の管部からなると共に、前記管路部は、洗浄済流体吸引孔から徐々に高さ寸法が増大して前記負圧供給接続部に連設され、前記管路部の底面部は前側ガイド板部に沿って形成されているものである。
【００２７】
したがって、吸引された洗浄済流体は洗浄済流体吸引孔から吸引された後、管路部内を前記前側ガイド板に沿って略水平に移動するため、洗浄済流体に対して抗力が作用した状態で搬送される。
【００２８】
請求項９記載の考案は、前記負圧供給接続部は前記ガイド板部に対して上方に２０度の角度で傾斜して設けられているものである。
【００２９】
したがって、接続管部はガイド板部に対して上方に２０度の角度で固定されていることから、管路部内において抗力が作用しつつ吸引搬送されてきた洗浄済流体を、抗力を作用させると共に可能な限り重力の作用を排除しつつ、効率的に吸引することができる。
【００３０】
請求項１０記載の考案は、敷設された複数のタイルカーペットを剥離させて各タイルカーペットを洗浄するカーペットの洗浄装置に使用されるものである。
【００３１】
したがって、敷設されたタイルカーペットを剥離させて洗浄するカーペット洗浄装置に適用することができる。
【考案の効果】
【００３２】
請求項1記載の考案に係る洗浄ヘッドにあっては、被洗浄面部に沿って斜め上方へ洗浄済流体を吸引するため、従来のように垂直方向又は被洗浄面に対して角度が大きな斜め上方へ吸引するようには構成されていないことから、重力の作用を垂直方向に受けることがなく、洗浄済流体がヘッド内部において被洗浄面部に沿って略水平方向に沿って斜め上方へ吸引搬送されるように構成されていることから、洗浄済流体に対して抗力が作用するため、洗浄済流体を効率よく吸引回収することができ、カーペットの洗浄効率を向上させることができる。
【００３３】
請求項２記載の考案にあっては、前記加圧流体噴出部は、前記洗浄ヘッドの前記カーペットとの間の相対的進行方向に沿って斜め上方から加圧流体を前記被洗浄面部に対して吹き付けるように構成されていることから、相対的進行方向に沿って斜め上方から加圧流体を前記被洗浄面部に対して吹き付けることにより、カーペット内部の汚れを掻きだして汚水化することができる。したがって、従来のカーペット洗浄装置の場合よりも、カーペット内部の汚れを効率よく洗浄することが可能となる。
【００３４】
また、前記洗浄済流体吸引部は、前記洗浄ヘッドの相対的進行方向において前記加圧流体噴出部の前方に隣接し、前記加圧流体の噴出方向に対向して配置されている前記洗浄済流体吸引部により吸引されるように構成されていることから、掻き出された汚水の吸引効率を向上させることができる。
【００３５】
請求項３記載の考案にあっては、タンク部に貯留した流体を加圧流体として加圧流体噴出孔から噴出された後、負圧供給接続部で発生させた負圧により洗浄ヘッドの相対的移動方向において加圧流体噴出孔の前方に隣接して設けられた洗浄済流体吸引孔から汚水を吸引する際、仕切板部により洗浄ヘッドの相対的移動方向において加圧流体噴出孔と洗浄済流体吸引孔とが仕切られていることから、加圧流体が加圧流体噴出孔から噴出された後に被洗浄面部内方へ入り込むことなくそのまま洗浄済流体吸引孔から吸引されてしまう事態を防止し、カーペット深部にまで加圧流体の作用を及ぼすことができる。その結果、カーペットの洗浄効率を向上させることができる。
【００３６】
請求項４記載の考案にあっては、洗浄時に被洗浄面部に対向して配置されるガイド部が設けられていることから、洗浄ヘッドの被洗浄面に対する安定した対向状態が確保でき、被洗浄面からの負圧による確実な吸引作用を実現することができ、洗浄済流体の吸引効率を向上させることができる。
【００３７】
請求項５記載の考案にあっては、加圧流体噴出孔及び洗浄済流体吸引孔がガイド板部の幅方向全域に亘ってスリット状に形成されていることから、幅方向全域に亘って安定した洗浄水の噴出作用の確保及び吸引作用を確保し得て、より良好な洗浄効果を得ることができる。
【００３８】
請求項６記載の考案にあっては、前記加圧流体噴出部の長さ方向両端部に至り、両端部に至るに従って平面視において幅細になるように形成された洗浄済流体収集部を有することから洗浄済流体収集部により、加圧流体噴出部の長さ方向全域に亘って有効に洗浄済流体を収集できる。
【００３９】
また、負圧供給接続部と洗浄済流体収集部とが、平面視において内方へ収縮する対向して設けられた一対の平面円弧状輪郭の接続部を介して接合されていることから、収集された洗浄済流体を、接続部を介して負圧供給部へ乱流を発生させることなく層流の状態で円滑に吸引することができる。その結果、洗浄済流体吸引孔においてベンチュリ効果も良好に発生し、洗浄済流体の吸引効果をより高めることができる。
【００４０】
請求項７記載の考案にあっては、前記後側ガイド板部及び前記前部ガイド板部が前記被洗浄面部に当接した場合には、前記仕切板部は、被洗浄面部に当接するように配置されていることから、加圧流体噴出孔から噴出された加圧流体は、被洗浄面部内部に入り込んだ後、被洗浄面部から洗浄流体吸引孔に吸引される噴出経路が形成されることから、被洗浄面部内部の汚れを確実に排出することが可能となる。
また、この場合、加圧流体の噴出経路において仕切板部は邪魔板として機能させることができる。また、加圧流体噴出孔から噴出された加圧流体が隣接する洗浄済流体吸引孔に即時に吸引される事態が防止されることから、加圧流体は仕切板部下端部に沿うようにしてカーペットの深部まで入り込んで汚れを効率よく回収した洗浄済流体を吸引することが可能となる。
【００４１】
請求項８記載の考案にあっては、吸引された洗浄済流体は洗浄済流体吸引孔から吸引された後、管路部内を前側ガイド板に沿って略水平に移動するため、洗浄済流体に対して抗力が作用した状態で搬送され、従来のように被洗浄面部に対して垂直方向又は立ち上がり角度の大きな斜め上方へ吸引される場合に洗浄済流体に作用した重力を可能な限り排除することが可能となることから、効率よく洗浄済流体を吸引することができる。
【００４２】
請求項９記載の考案にあっては、負圧供給接続部はガイド板部に対して上方に２０度の角度で固定されていることから、管路部内において抗力が作用しつつ吸引搬送されてきた洗浄済流体を、抗力の作用を落とすことなく可能な限り重力の作用を排除しつつ、効率的に斜め上方へ吸引することができる。
【００４３】
請求項１０記載の考案にあっては、本考案を敷設されたタイルカーペットを剥離させて洗浄するカーペット洗浄装置に適用することができる。
【図面の簡単な説明】
【００４４】
【図１】本考案の一実施の形態に係る洗浄ヘッドを採用したカーペット洗浄装置の側面図である。
【図２】本考案の一実施の形態に係る洗浄ヘッドの上面側から見た場合の斜視図である。
【図３】本考案の一実施の形態に係る洗浄ヘッドの底面側から見た場合の斜視図である。
【図４】本考案の一実施の形態に係る洗浄ヘッドの横断面図である。
【図５】本考案の一実施の形態に係る洗浄ヘッドの要部の拡大断面図である。
【考案を実施するための形態】
【００４５】
次に、本考案に係る一実施の形態について図面を参照して説明する。
本実施の形態にあっては、本考案に係る洗浄ヘッドを床面に敷設されたタイルカーペットを剥離させて洗浄するカーペット洗浄装置に適用する場合を例に説明する。
【００４６】
図１において、カーペット洗浄装置１は、内部に配設されたベルトコンベア又は上下一対の搬送ローラ対を適宜配置してタイルカーペット（以下、「カーペット」と略称する）２を内部に引き込んで搬送する搬送装置（図示せず）を有する装置本体３と、装置本体３のカーペット搬送方向（図示矢印Ａ参照）の下流側に配置した洗浄ヘッド４と、洗浄後のカーペット２を受け取る受取部５とを備えている。
【００４７】
カーペット２は、編布、織布、不織布、合成ゴム、合成樹脂等の矩形の基材（図示せず：単層・積層は問わない）の一面側に適宜素材のパイル材（図示せず）を植毛した汎用のカーペット全般を対象とすることができる。以下の説明においては、パイル材を植毛した表面側を被洗浄面部２ａと称している。
【００４８】
カーペット２は、カーペット洗浄装置１に隣接して配置された供給装置（図示せず）から自動的にカーペット洗浄装置１に随時供給されてもよいし、人手によってカーペット洗浄装置１に供給されてもよい。
【００４９】
図２及び図４に示すように、洗浄ヘッド４は、カーペット２を洗浄するカーペット洗浄装置１に使用され、カーペット２の被洗浄面部２ａに対して加圧流体Ｅを吹き付ける加圧流体噴出部１０と、被洗浄面部２ａを洗浄した洗浄済流体Ｗを吸引する洗浄済流体吸引部２０とを備える。
【００５０】
図２〜図４に示すように、加圧流体噴出部１０は、全体略細長箱状に形成されており、図４に示す洗浄ヘッド４のカーペット２の搬送方向Ａに対向して、カーペット２の搬送方向Ａの前方斜め上方から加圧流体Ｅを被洗浄面部２ａに対して吹き付けるように構成されている。
【００５１】
洗浄済流体吸引部２０は、洗浄ヘッド４内部において被洗浄面部２ａに沿って略水平かつ斜め上方へ洗浄済流体Ｗを吸引するように構成されており、洗浄ヘッド４の相対的進行方向Ｂにおいて加圧流体噴出部１０の前方、すなわち、カーペット２の搬送方向の上流側に隣接して配置されている。
【００５２】
以下、本実施の形態に係る洗浄ヘッド４の具体的構成について説明する。なお、本明細書において、洗浄ヘッド４へのカーペット２の搬送方向を４図中矢印Ａとして説明すると共に、洗浄ヘッド４の相対的移動方向（カーペット２の搬送方向Ａとは反対方向）を４図中矢印Ｂとして説明する。
【００５３】
〔加圧流体噴出部〕
加圧流体噴出部１０の構成を説明する。
【００５４】
図４に示すように、加圧流体噴出部１０は、流体である洗浄水を貯留するタンク部１１と、タンク部１１に貯留された洗浄水を加圧する加圧供給接続部１２と、加圧供給接続部１２を介して加圧された加圧流体Ｅを被洗浄面部２ａへ供給する加圧流体供給路１３と、加圧流体供給路１３の先端に設けられ、被洗浄面部２ａへ加圧流体Ｅを噴出する加圧流体噴出孔１４とを有している。
【００５５】
図１に示すように、加圧供給接続部１２には、適宜の加圧供給源により加圧された洗浄水を洗浄ヘッド４へ供給する洗浄水供給ホース４４が接続されている。
【００５６】
図２及び図４に示すように、加圧流体噴出部１０は具体的には加圧流体噴出部構成体３０により構成され、加圧流体噴出部構成体３０は、長さ方向側板部３１と、長さ方向側板部３１と相対的移動方向Ｂにおいて所定間隔を置いて対向して配設された仕切板部１５と、長さ方向両端部において長さ方向側板部３１及び仕切板部１５に接合され、内部を密閉する両側板部１７、１７とにより構成されている。
【００５７】
長さ方向側板部３１は高さ方向中間部において、洗浄ヘッド４の相対的移動方向Ｂ方向に向かって斜め下方に折り曲げられ、下端傾斜部３２が形成されている。
【００５８】
その結果、仕切板部１５と下端傾斜部３２との間には、下端傾斜部３２によりガイドされつつ収れんする加圧流体供給路１３が形成される。
【００５９】
したがって、図２乃至図４に示すように、加圧流体噴出孔１４は、加圧流体供給路１３の下端部であって、長さ方向側板部３１の下端部に接合固定された後側ガイド板１６の前端部４３と仕切板部１５の下端部との間に加圧流体噴出部構成体３０の長さ方向に沿って配置されたスリット状の開口部として形成されている。
【００６０】
本実施の形態にあっては、後側ガイド板部１６の長さ寸法は５２６ｍｍに形成されており、加圧流体噴出孔１４は３ｍｍの幅寸法であって５００ｍｍの長さ寸法に形成されている。
【００６１】
〔洗浄済流体吸引部〕
図４に示すように、洗浄済流体吸引部２０は、加圧流体噴出部１０を構成する加圧流体噴出部構成体３０の洗浄ヘッド４の相対的移動方向Ｂにおける幅方向前方であって高さ方向下端部に連設されており、負圧供給接続部２１と、洗浄ヘッド４の相対的移動方向Ｂにおいて加圧流体噴出孔１４の前方、すなわち、カーペット搬送方向Ａの上流側に隣接して設けられた洗浄済流体吸引孔２２と、洗浄済流体吸引孔２２と負圧供給接続部２１との間に設けられた管路部２３とを有している。
【００６２】
図１に示すように、負圧供給接続部２１には適宜の負圧供給源に接続され、洗浄済流体を吸引する負圧供給ホース４５が接続されている。
【００６３】
図２に示すように、負圧供給接続部２１は加圧流体噴出部１０を構成する加圧流体噴出部構成体３０の長さ方向中央部に配置されると共に、管路部２３は平面視略二等辺三角形状に形成されて、負圧供給接続部２１から加圧流体噴出部構成体３０の長さ方向両端部に至り、両端部に至るにしたがって、平面視において幅細になるように形成された洗浄済流体収集部２５を有している。
【００６４】
本実施の形態においては、図２及び図４に示すように、負圧供給接続部２１は、前端部が円筒状に形成されると共に基端部２１ｂ側は断面方形筒状に形成された管部２１ａを有し、管部２１ａはタンク部１１の長さ方向に沿って平面直角方向に折曲されており、管部２１ａには、タンク部１１の長さ方向に沿って負圧供給ホース４５が接続配置されている。本実施の形態にあっては、管部２１ａの内径は３８ｍｍに形成されている。
【００６５】
したがって、本実施の形態にあっては、図２及び図４に示すように、管路部２３は、上部平面部２３ａと、上部平面部２３ａに対向して設けられた下部平面部２３ｂと、上部平面部２３ａと下部平面部２３ｂとの間に両端部に設けられた側部平面部２３ｃ、２３ｃとにより構成されており、下部平面部２３ｂにより前側ガイド板部２４上面部に接合固定されている。
【００６６】
そして、図２に示すように、負圧供給接続部２１と洗浄済流体収集部２５とは、側部平面部２３ｃに形成され、平面視において内方へ互いに収縮し、幅方向において対向して設けられた一対の平面円弧状輪郭の接続部３７、３７を介して接合されている。
【００６７】
本実施の形態にあっては、負圧供給接続部２１は前側ガイド板部２４に対して上方に向かって２０度の角度で固定されている。
【００６８】
すなわち、管路部２３は、洗浄済流体吸引孔２２から負圧供給接続部２１へ至るに従って徐々に高さ寸法が増大して負圧供給接続部２１の管部２１ａに連設されている。
【００６９】
すなわち、図４に示すように、管路部２３を構成する下部平面部２３ｂは前側ガイド板部２４に接合固定されていると共に、上部平面部２３ａは前側ガイド板部２４に対して上方へ２０度の角度で配設されている。
【００７０】
管路部２３の上部平面部２３ａの基端部３８は仕切板部１５の下端から所定間隔上方に接合固定されている。また、下部平面部２３ｂの基端部３９は前側ガイド板部２４の後端部４２に接合されて、相対的移動方向Ｂにおいて仕切板部１５よりも所定間隔を置いて前方に配置されており、前側ガイド板部２４の後端部４２及び下部平面部２３ｂの基端部３９と、仕切板部１５の下端部との間の空隙により洗浄済流体吸引孔２２が形成されている。
【００７１】
本実施の形態にあっては、前側ガイド板部２４の長さ寸法は５２６ｍｍに形成されていると共に、洗浄済流体吸引孔２２の幅寸法は３ｍｍであって、長さ寸法は５１０ｍｍに形成されている。また、本実施の形態にあっては、平面視略二等辺三角形状に形成された洗浄済流体収集部２５の上部平面部２３ａ及び下部平面部２３ｂの平面視における底辺部２５ａと斜辺部２５ｂとの間の角度は８．４１度に形成されると共に、一対の平面円弧状輪郭の接続部３７、３７はＲ５２（半径５２ｍｍ）に形成されている。
【００７２】
本実施の形態にあっては、前側ガイド板部２４の後端部４２は  厚さ方向において相対的移動方向Ｂに沿って次第に厚さ寸法が大きくなるようなテーパ状に形成され、洗浄済流体吸引孔２２内部の空隙を確保し、洗浄済流体の吸引搬送経路を確保している。
【００７３】
〔ガイド部〕
そして、本実施の形態にあっては、図３及び図４に示すように、加圧流体噴出部１０及び洗浄済流体吸引部２０の夫々の下端部には、加圧流体噴出部１０の幅方向に沿って形成され、供給されたカーペット２を洗浄する際に被洗浄面部２ａに対向して配置されるガイド部４０が設けられている。
【００７４】
ガイド部４０は、加圧流体噴出部１０の下部に設けられ、洗浄時には供給されたカーペット２の被洗浄面部２ａに当接する後側ガイド板部１６と、洗浄済流体吸引部２０の下部に設けられる前側ガイド板部２４とからなる。
【００７５】
図２及び図３に示すように、後側ガイド板部１６は細長長方形板状に形成されるとともに、前側ガイド板部２４は後側ガイド板部１６よりも幅寸法の大きな長方形板状に形成され、前側ガイド板部２４の前端部４３は、搬送供給されるカーペット２に皺、折り曲げ部等があり平滑な平面状ではない場合であっても受け入れうるように洗浄ヘッド本体の上方へ向けてやや折曲して形成されている。
【００７６】
本実施の形態にあっては、前側ガイド板部２４及び後側ガイド板部１６は同一の高さ位置に取り付け配置されているており、図４及び図５に示すように、前側ガイド板部２４及び後側ガイド板部１６は、カーペット２が供給された場合には、前側ガイド部材２４及び後側ガイド板部１６は被洗浄面部２ａに当接するように構成されている。
【００７７】
一方、仕切板部１５は、前側ガイド板部２４と後側ガイド板部１６との間に配置され、仕切板部１５の下端面部１５ａは、前側ガイド板部２４の下面部２４ａ及び後側ガイド板部１６の下面部１６ａよりも下方に突出し、カーペット２のパイル部４６に上方から圧入するように構成されている。このような構成とすることにより、加圧流体Ｅをパイル４６内に深く侵入させることが可能となる。
【００７８】
したがって、図５及び図２に示すように、前側ガイド板部２４及び後側ガイド板部１６と仕切板部１５との間には加圧流体噴出孔１４が後側ガイド板部１６の長さ方向全域に亘って形成されると共に、前側ガイド板部２４と仕切板部１５との間には洗浄済流体吸引孔２２が前側ガイド板部２４の長さ方向全域に亘って形成され、カーペット２が洗浄ヘッド１０に供給された場合には、後側ガイド板部１６は被洗浄面部２ａに当接することから加圧流体噴出孔１４は被洗浄面部２ａに対して直に開口する状態で配置されると共に、洗浄済流体吸引孔２２は加圧流体噴出孔１４と同一の高さ位置に配置される。
【００７９】
以下、本実施の形態に係る洗浄ヘッド４の作用について説明する。
本実施の形態に係る洗浄ヘッド４をカーペット洗浄装置１に装着してカーペット２を洗浄する場合には、予め、床面からタイルカーペットを剥離させて、カーペット洗浄装置１の洗浄ヘッド４とは反対側に適宜設けられているカーペット挿入部へ挿入して、適宜、ローラ又はコンベヤ等の搬送装置によりカーペット２を、基部４７上に設けられたパイル部４６を表面側にした状態で所定の速度で搬送し、適宜装置内に配置されたローラーブラシ等による洗浄工程を経て洗浄ヘッド４へ供給される。
【００８０】
この場合、図４及び図５に示すように、供給されたカーペット２が洗浄ヘッド４の下方に至った際には、前側ガイド板部２４及び後側ガイド板部１６はカーペット２に当接する。
【００８１】
一方、洗浄ヘッド４においては、カーペット洗浄装置１の適宜の加圧供給源により加圧された流体（本実施の形態にあっては加圧された洗浄水）が洗浄水供給ホース４４を介して加圧流体噴出部１０を構成するタンク部１１へ供給されている。
【００８２】
タンク部１１へ供給された加圧流体としての加圧洗浄水はタンク部１１内を落下し、タンク部１１の前端部に形成された加圧流体供給路１３へ入り込む。
【００８３】
加圧流体供給路１３は、下端部に至るに従って、細幅になるように形成されていると共に、タンク部１１内は常時加圧されていることから洗浄水は加圧流体供給路１３内においてさらに加圧されて、加圧流体噴出孔１４から、カーペット移動方向Ａの方向へ所定の速度で移動しつつあるカーペット２の被洗浄面部２ａに対して加圧流体噴出孔１４から、本実施の形態にあっては、約４５度の角度を以て噴出される。
【００８４】
この場合、加圧流体噴出部１０は、略４５度の角度でカーペット搬送方向Ａに対向して配設された加圧流体供給路１３により、洗浄ヘッド４のカーペット２との間の相対的進行方向Ｂに沿って斜め上方から加圧流体を前記被洗浄面部２ａに対して加圧流体噴出孔１４を介して吹き付ける。
【００８５】
この場合、加圧流体噴出孔１４から噴出された加圧流体Ｅは仕切板部１５の下端部に当接しつつ、カーペット２の搬送速度も相まって、加圧流体Ｅは被洗浄面部２ａとしてのパイル部へ所定の強さで吹き付けられる。
【００８６】
その結果、加圧流体Ｅはカーペット２の被洗浄面部２ａを構成するパイル部４６内へ深く進入し、回転ローラでは払拭できなかったようなパイル部４６内部の汚れを欠き出し、汚水４８に変える。この場合、加圧流体供給路１３からの加圧流体により発生して汚水４８は、パイル部４６内において、常時、仕切板部１５直下の部位及び洗浄済流体吸引孔２２の直下に位置することとなる。
【００８７】
同時に、カーペット洗浄装置１の負圧供給源により負圧供給接続部２１に接続され負圧供給ホース４５を介して負圧が洗浄済流体吸引部２０に供給されていることから、管路部２３内には負圧が形成されているため、被洗浄面部２ａであるパイル部４６内に存在している汚水４８は洗浄済流体吸引孔２２から管路部２３へと吸引される。
【００８８】
この場合、吸引された汚水４８である洗浄済流体Ｗは、前側ガイド板部２４に沿って相対的進行方向Ｂに形成された管路部２３内部を吸引搬送されるが、洗浄済流体Ｗの吸引搬送方向は水平方向と斜め約２０度上方の方向との間で相対的移動方向Ｂに吸引されることとなるため、管路部２３内の空隙において吸引搬送される洗浄済流体Ｗに対しては抗力が作用する。
【００８９】
その結果、従来のカーペット洗浄装置のように、被洗浄面部の垂直方向又は大きな角度を有する斜め上方へ洗浄済み流体を吸引する場合とは異なり、洗浄済流体Ｗに作用する重力の影響を、発生する抗力により低減することができ円滑かつ効率よく吸引搬送することができる。
【００９０】
また、図２に示すように、長さ方向中央部分に配置された負圧供給接続部２１と、平面略三角形状であって、洗浄済流体吸引孔２２の全域に亘って設けられた洗浄済流体収集部２５とは、側部平面部２３ｃにおいて、平面視において内方へ収縮する対向して設けられ、幅方向において対向して設けられた一対の平面円弧状輪郭の接続部３７、３７を介して接合されている。
【００９１】
その結果、本実施の形態にあっては、洗浄済流体収集部２５により洗浄済流体吸引孔２２の全域に亘って吸引された洗浄済み流体Ｗを層流の状態で管路部２３及び負圧供給接続部２１を介して負圧供給ホース４５に吸引することができる。
【００９２】
すなわち、本実施の形態にあっては、洗浄済流体吸引孔２２の幅寸法は３ｍｍであって全長は５１０ｍｍのスリット状に形成されている一方、洗浄済流体吸引孔２２の長さ方向中央部に配置された、負圧供給ホース４５に接続される負圧供給接続部２１の内径は３８ｍｍに形成されている。
【００９３】
したがって、全長５１０ｍｍに及ぶ洗浄済流体吸引孔２２から吸引された洗浄済流体としての汚水は管路部２３内を吸引搬送されて最終的には内径３８ｍｍの、洗浄済流体吸引孔２２の中央部に位置する負圧供給接続部２１へ接続された負圧供給ホース４５により回収されるものであるが、細幅であって長さ寸法の大きな洗浄済流体吸引孔２２から吸引された洗浄水としての流体が細径の負圧供給接続部２１へ収斂して回収されるものであるため、搬送過程において搬送経路の断面積の大きさが変化するため、洗浄済流体吸引孔２２から負圧供給接続部２１へ至るまでの経路で、乱流の発生を抑制し層流により吸引搬送することが望ましい。
【００９４】
すなわち、本来、「乱流」は不規則な流れであり、大きなエネルギー散逸性を有するものであることから、汚水としての洗浄済流体を効率よく吸引搬送するためには洗浄済流体吸引孔２２から負圧供給接続部２１へ至る間、管路部２３内において、整然とした流れである「層流」の状態で吸引搬送されることが必要となる。
【００９５】
この観点から考慮した場合、洗浄済流体吸引孔２２から負圧供給接続部２１の管部２１ａに至るまでの管路部２３内の洗浄済流体の搬送経路において、急激な断面積の大きさの変化があった場合には、吸引搬送される洗浄済流体の流速の低下を招き、乱流が発生して洗浄済流体Ｗの吸引搬送効率は低下してしまう。
【００９６】
しかしながら、本実施の形態に係る洗浄済流体吸引部２０の構成は、前記のように、管路部２３は平面視略二等辺三角形状に形成され、負圧供給接続部２１から加圧流体噴出部構成体３０の長さ方向両端部に至り、両端部に至るにしたがって、平面視において幅細になるように形成された洗浄済流体収集部２５を有していると共に、洗浄済流体吸引孔２２から負圧供給接続部２１へ至るに従って徐々に高さ寸法が増大して負圧供給接続部２１の管部２１ａに連設され、さらに、負圧供給接続部２１と洗浄済流体収集部２５とは、側部平面部２３ｃに形成され、平面視において内方へ収縮する対向して設けられ、幅方向において対向して設けられた一対の平面円弧状輪郭の接続部３７、３７を介して接合されていることから、洗浄済流体吸引孔２２から負圧供給接続部２１の管部２１ａに至るまでの管路部２３内の洗浄済流体の搬送経路において、いずれの箇所においても急激な断面積の大きさの変化がなく、乱流の発生を可能な限り低減しており、さらに、上記の、発生する抗力の作用と相俟って全体として層流の状態で汚水からなる洗浄済流体を円滑に吸引搬送することが可能となっている。
【００９７】
また、このように管路部２３内において層流の状態で洗浄済流体が吸引搬送されることにより、加圧流体噴出孔１４から洗浄済流体吸引孔２２へ至る高速な流体の流れが形成され、その結果、洗浄流体吸引孔２２においてベンチュリ効果が発生し、カーペット２の被洗浄面部２ａの汚水を吸い上げる負圧の発生を可能とするため、汚水としての洗浄済流体の吸引効率をさらに上昇させることが可能となる。
【００９８】
したがって、本実施の形態に係る洗浄ヘッド４にあっては、従来のカーペット洗浄装置とは異なり、加圧洗浄水の回収効率が大幅に向上し、カーペットの汚れをより効率的に除去することができる。
【００９９】
本実施の形態においては、床面に設置され、洗浄するタイルカーペットを床面から剥離させて、タイルカーペットを一枚ずつ洗浄装置１に供給搬送してタイルカーペットを洗浄する洗浄装置１に適用した場合を例に説明したが、家庭用の掃除機と同様の形態に構成され、洗浄水を貯留した可動式のタンク部と、タンク部に接続されたホース部と、ホース部の前端部に接続されたヘッド部とを有し、タンク部に貯留した洗浄水を加圧してヘッド部からカーペットの被洗浄面部に噴出して汚れを汚水に変え、その汚水をヘッド部に設けられた吸引部からホース部を介して吸引して汚れを除去するように構成され、使用者がホース部を保持してホース部及びタンク部を移動させて、床面からタイルカーペットを剥離させることなく洗浄するカーペット洗浄装置のヘッド部として使用することも可能であり、上記実施の形態に限定されない。
【符号の説明】
【０１００】
１      カーペット洗浄装置
２      カーペット
２ａ  被洗浄面部
３      装置本体
４      洗浄ヘッド
５      受取部
１０      加圧流体噴出部
１１      タンク部
１２      加圧供給接続部
１３      加圧流体供給路
１４      加圧流体噴出孔
１５      仕切板部
１５ａ  下端面
１６      後側ガイド板部
１６ａ  底面部
２０      洗浄済流体吸引部
２１      負圧供給接続部
２１ａ  管部
２１ｂ  平面部
２２      洗浄済流体吸引孔
２３      管路部
２３ａ  上部平面部
２３ｂ  下部平面部
２３ｃ  側部平面部
２４      前側ガイド板部
２４ａ  底面部
２５      洗浄済流体収集部
２５ａ  底辺部
２５ｂ  斜辺部
３０      加圧流体噴出部構成体
３１      長さ方向側板部
３２      下端傾斜部
３３      傾斜片部
３４      開口部
３５      平板片部
３６      加圧流体供給路形成部材
３７      接続部
３８      基端部
３９      基端部
４０      ガイド部
４１      前端部
４２      後端部
４３      前端部
４４      洗浄水供給ホース
４５      負圧供給ホース
４６      パイル部
４７      基部
４８      汚水
Ａ      カーペット搬送方向
Ｂ      供給ヘッドの相対的移動方向
Ｅ      加圧流体
Ｗ      洗浄済流体
【図１】
0003227976.tif 000003
【図２】
0003227976.tif 000004
【図３】
0003227976.tif 000005
【図４】
0003227976.tif 000006
【図５】
0003227976.tif 000007